(57)【特許請求の範囲】
【請求項１】
発泡体製パッドの上面又は前面にトリムカバーを押圧して接着するトリムカバーの成形型であって、前記パッドの上面又は前面における中央部と隆起状の側部との境界に沿って凹溝を有し、この凹溝内にトリムカバーの一部を喰い込ませる成形歯を型本体の押圧面に設けてなるトリムカバーの成形型において、
前記成形歯は、成形型に固定又は着脱自在に取つけた押圧プレート１０と、この押圧プレート１０に多数の連結自在に取付けた別の押圧プレートとから構成して、成形歯の幅、突出量の長さを調節可能にしてなることを特徴とするトリムカバーの成形型構造。
【請求項２】
前記各押圧プレートの押圧面にローレットを設けてなる請求項１記載のトリムカバーの成形型構造。
【発明の詳細な説明】
【０００１】
【産業上の利用分野】
本発明は自動車用シートを構成する発泡体製パッドにトリムカバーを押圧して接着するトリムカバーの成形型構造に関する。
【０００２】
【従来の技術】
図４に示すように、従来の自動車用シートを構成する発泡体製パッド（３）（図示するものはシートバック用）は、その前面に略平担状の中央部（３１）と、その左右の側部（３２）（３２）又は上部が隆起状に成形され、中央部（３１）と側部（３２）（３２）及び上部との境界に、凹溝（３０）が設けてあるものがある。
【０００３】
このパッド（３）に、図５に示すように、トリムカバー（４）が接着される。トリムカバー（４）は前記パッド（３）の凹凸状前面にタルミ、皺が生じることがないように、成形型（２）でトリムカバー（４）をパッド（３）の前面に押圧して接着している。
【０００４】
成形型（２）には、パッド（３）の中央部（３１）に沿う中央加圧部（２０）と、パッド（３）の側部（３２）（３２）等の外形形状に形成されている側部加圧部（２１）（２１）と、トリムカバー（４）の一部をパッド（３）の凹溝（３０）内に喰い込ませる突起状の成形歯（１′）（１′）とが加圧面に形成されている。
【０００５】
以上の成形歯（１′）は、中央加圧部（２０）、側部加圧部（２１）（２１）と一体に金属で形成されている。
【０００６】
【発明が解決しようとする課題】
ところで、前記パッド（３）の凹溝（３０）は、シートの種類によってその幅、深さが各々異なっている。
そのため、前記成形型（２）の成形歯（１′）は、パッド（３）の凹溝（３０）の幅、深さが異なると使用できない。
【０００７】
従って、従来は成形歯（１′）の異なる多種の成形型（２）を用意しなければならない不具合があった。
【０００８】
そこで、本発明は斯様な従来の成形型の不具合を除去することを目的とする。
【０００９】
【課題を解決するための手段】
以上の目的を達成するための本発明は、前記成形歯は、成形型に固定又は着脱自在に取つけた押圧プレート１０と、この押圧プレート１０に多数の連結自在に取付けた別の  押圧プレートとから構成して、成形歯の幅、突出量の長さを調節可能にしてなることを特徴とするものである。
【００１０】
従って、成形歯を構成する押圧プレートの枚数を調節することにより、成形歯の幅を調節でき、また、加圧方向への突出量が長短のものを選択して使用することにより、深さが異なるパッドの凹溝に対応できる成形歯を形成できる。
【００１１】
また、前記各押圧プレートの押圧面にローレットを設けてなることにより、起毛を表面に有するトリムカバーを加圧してパッドに接着した際、ローレットにより起毛の倒れ方向を任意に調節できる。
【００１２】
【発明の実施の形態】
以下、本発明の実施の一形態を図１乃至図３に基づいて説明する。
図面は本発明に係る成形型で、前記図５に示す従来の成形型（２）と同様に、トリムカバー（４）をパッド（３）の凹凸状の前面又はパッドがシートクッション用のものにおいては上面に押圧して接着剤で接着するものである。
【００１３】
前記従来の成形型（２）に対して、成形歯（１′）（１′）を除く部分は同一であり、その説明を省略する。
【００１４】
本発明に係る成形型に使用する成形歯（１）は、多数の押圧プレート（１０）（１１）（１２）（１３）（１４）…から構成され、各押圧プレート（１０）（１１）…は、成形型に取り外し自在に連結されている。
【００１５】
そして、図示する各押圧プレート（１０）…は、同一の高さのもので、この枚数を増減して連結することにより、幅をパッド（３）の凹溝（３１）の幅に応じて広狭自在に調節できるようにしている。
【００１６】
また、例えば、図２において、外側に位置する押圧プレート（１３）（１４）を内側の押圧プレート（１１）（１２）に対して突出量が長く形成したものを使用してもよく、斯様なものを使用することにより、前記パッド（３）の凹溝（３０）がくっきり形成できるように、トリムカバーの一部をパッド（３）の凹溝（３０）内に喰い込ませることができる。
【００１７】
なお、図２に示す成形歯（１）は、成形歯に一体に固定した押圧プレート（１０）に対して、他の押圧プレート（１１）…を連結自在に取付けたものを示すが、全ての押圧プレート（１０）…を成形型に対して着脱自在に取付け得るようにするも任意である。
【００１８】
また、前記パッド（３）の深さが異なる凹溝（３０）に対応できるように、前記各押圧プレート（１０）…は、突出量が長いものをあらかじめ用意して、成形型に取付けられるようにする。
【００１９】
そして、各押圧プレート（１０）…の先端面であるトリムカバーの押圧面には、図３に示すように、ローレット（１０Ａ）（１１Ａ）（１２Ａ）（１３Ａ）（１４Ａ）を設けるのが好ましい。
【００２０】
この各ローレット（１０Ａ）…の配設によって、起毛を表面側に有するトリムカバーの一部をパッド（３）の凹溝（３０）に喰い込ませて接着した際、トリムカバーの起毛が所望の方向に倒れるため、即ち、トリムカバーの起毛の倒れ方向を調節できるため、パッド（３）の凹溝（３０）内に接着されたトリムカバーの外観品質が向上する。
【００２１】
従って、各押圧プレート（１０）…の押圧面にローレット（１０Ａ）…を設け、この押圧プレート（１０）…を多数枚に連結することにより、例えば、図３に示すように、ローレット（１０Ａ）…を成形歯（１）に配設することができる。
【００２２】
【発明の効果】
本発明によれば、トリムカバーの一部を押圧してパッドの凹溝に喰い込ませて接着する成形型の成形歯は、叙上の如く構成しているので、成形歯の押圧プレートの枚数等を調節することにより、幅、深さが異なるパッドの凹溝に対応できる。そのため、前記従来品の如く成形型の全体を取替える必要もない。
【００２３】
また、各押圧プレートの押圧面に、ローレット加工を設けることにより、起毛を有するトリムカバーの一部をパッドの凹溝に喰い込ませて接着した際、トリムカバーの起毛の倒れ方向を千鳥状等に調節できる。
【図面の簡単な説明】
【図１】本発明に係る成形型の斜視図である。
【図２】図１のＩＩーＩＩ線断面図である。
【図３】図１のＡ部の拡大図である。
【図４】本発明に係る成形型を使用してトリムカバーが接着される発泡体製パッドの斜視図である。
【図５】従来の成形型の使用状態を示す断面図である。
【符号の説明】
１      成形歯
１０      押圧プレート
１１      押圧プレート
１２      押圧プレート
１３      押圧プレート
【図１】
0003591632.tif 000002
【図２】
0003591632.tif 000003
【図３】
0003591632.tif 000004
【図４】
0003591632.tif 000005
【図５】
0003591632.tif 000006